(57)【要約】【課題】温調ハンドルを、それの回動により所望に設定した設定温度位置から動かないようにするために、自動湯水混合水栓に組込む自転防止機構が、ボディの軸方向の長さを長くして自動湯水混合水栓の小型化の阻害となっている点を解消せしめることと、温調ハンドルを回動させた所望の設定温度位置に保持させるのが、どのような設定温度においても行われるようにする。【解決手段】自動湯水混合水栓の、ボディＡに組付けた温調ハンドルＢの回転軸となる調整ネジ受け１３またはそれと温調ハンドルＢとを連結する連結スリーブ１５の周面に、ボディＡに周方向の動きを阻止せしめてバネにより径方向に押し出されるよう設けた制動部材２３を、温度設定時に温調ハンドルＢを自転させるよう生じてくる回転方向の付勢力に対向する程度の力で圧接せしめて、温調ハンドルＢの自転回動を防止するようにする。【選択図】図４
2007024138.tif 000002
【特許請求の範囲】
【請求項１】
有底の筒状のケース１とそれの開放口側に接続する筒状の弁座２とからなり、筒壁に湯流入口３と水流入口４とを設けたボディＡ内に、筒状の制御弁体５を軸方向に可動に装入し、それの軸方向の一端側と他端側とに、感温バネ１０の先端側とバイアスバネ６の先端側とをそれぞれ連繋して、この２つのバネの釣り合った位置に制御弁体５を保持せしめ、バイアスバネ６の基端側を支承する調整ネジ７を、ボディＡの端部に組付けた温調ハンドルＢの回転により軸方向に変位させて設定温度を所望に設定する自動湯水混合水栓において、ボディＡに組付けた温調ハンドルＢの回転軸となる調整ネジ受け１３またはそれと温調ハンドルＢとを連結する連結スリーブ１５の周面に、ボディＡに周方向の動きを阻止せしめてバネにより径方向に押し出されるよう設けた制動部材２３を、温度設定時に温調ハンドルＢを自転させるよう生じてくる回転方向の付勢力に対向する程度の力で圧接せしめて、温調ハンドルＢの自転回動を防止するようにしたことを特徴とする自動湯水混合水栓における温調ハンドルの自転回動防止装置。
【請求項２】
温調ハンドルＢと調整ネジ受け１３とを連結する連結スリーブ１５の外周面には、多数の係合突起２５…を、歯車の歯状に周方向に連続させて形成し、連結スリーブ１５の周面に圧接させる制動部材２３を、ボディＡの外面に組付けるケース２２に前記連結スリーブ１５に対し進退自在に保持せしめて、バネにより連結スリーブ１５の外周面に向け押し出すよう付勢することを特徴とする請求項１記載の自動湯水混合水栓における温調ハンドルの自転回動防止装置。
【請求項３】
温調ハンドルＢと連絡スリーブ１５を介して連結する調整ネジ受け１３の周面には、多数の係合突起２５…を、歯車の歯状に周方向に連続させて形成し、その調整ネジ受け１３の周面の多数の係合突起２５…に対し圧接させる制動部材２３を、ボディＡの内腔に組付けるケース２２に前記調整ネジ受け１３の周面に対し進退自在に保持せしめて、バネにより調整ネジ受け１３の周面の係合突起２５…に向け押し出すよう付勢することを特徴とする請求項１記載の自動湯水混合水栓における温調ハンドルの自転回動防止装置。
【請求項４】
制動部材２３を、板バネにより形成し、そのバネ自体を連結スリーブ１５の外周面に形設した係合突起２５…に対し圧接させることを特徴とする請求項１または請求項２記載の自動湯水混合水栓における温調ハンドルの自転回動防止装置。
【請求項５】
制動部材２３を、板バネにより形成し、そのバネ自体を調整ネジ受け１３の周面に形設した係合突起２５…に対し圧接させることを特徴とする請求項１または請求項３記載の自動湯水混合水栓における温調ハンドルの自転回動防止装置。
【発明の詳細な説明】
【技術分野】
【０００１】
本発明は、湯と水とを混合して所定温度の混合水として吐出する湯水混合水栓のうちで、吐出する混合水を、ボディ内に組込んだバイアスバネとサーモエレメントまたはＳＭＡバネとにより制御される制御弁機構により所望の設定温度の混合水に自動制御して吐出し、その設定温度をボディの一端側に設けた温調ハンドルにより変更・調整する自動湯水混合水栓において、設定温度を変更調整するよう、ボディの一端側に設けた温調ハンドルが、バネの反力により自転回動して設定温度を狂わせるようになるのを防止するための、温調ハンドルの自転回動防止装置についての改良に関する。
【背景技術】
【０００２】
ボディの一端側に設けた温調ハンドルの回転作動により、吐出する混合水の設定温度を、変更・調整する自動湯水混合水栓は、通常、図１に示しているように、一端側（図において右端側）が開放する筒状に形成したケース１と、それの開放端側に接続した筒状の弁座２とで、筒壁に湯流入口３と水流入口４とを具備する筒状のボディＡを形成し、そのボディＡ内に、湯流入口３から流入する湯と水流入口４から流入する水の流入量を制御する筒状の制御弁体５を、軸方向（図１において左右方向）に可動に装入し、その制御弁体５に対し、それの他端側（図において左端側）から、バイアスバネ６の先端側を当接して連繋し、そのバイアスバネ６の基端側を、ボディＡ内にスプライン溝を介し回転方向を規制して軸方向に可動に組込んだ調整ネジ７に支持せしめた軸８に支承せしめる。そして、制御弁体５の一端側から、ボディＡの一端側を形成している前記筒状の弁座２の内腔に形成した混合室９内に配位せる感温バネ１０の先端側（図において左端側）を当接して連繋し、その感温バネ１０の基端側を、筒状に形成した弁座２の内腔側に一体に連続させて形成したバネ受座１１に支承させ、これにより制御弁体５を、バイアスバネ６と感温バネ１０との二つのバネの釣り合った位置に保持させる。この釣り合って安定した状態位置により設定される制御弁体５の他端側の端縁の湯弁ａとこれに対向する湯弁座ｂとの間隔および、制御弁体５の一端側の端縁の水弁ｃとこれに対向する水弁座ｄとの間隔とによって流入する湯の量および水の量をそれぞれ設定された間隔に対応する量に制御して、それによる混合割合として混合室９に送給し、一定の温度の混合水として筒状の弁座２の端部に形成した混合水出口１２から吐出させるようにする。
【０００３】
これにより、水圧の低下により水の流入量が減少し、それによって混合室９内における混合水の温度が上昇してきたときには、混合室９内に位置する感温バネ１０の感温作動により発生荷重を大きくするよう作動してバイアスバネ６を押し縮め、制御弁体５を押し上げて湯弁ａと湯弁座ｂとの間隔を狭めて湯の流入量を少なくし、また、水圧の上昇などで、流入してくる水の量が増大し、それにより混合水の温度が低下してきた場合には、感温バネ１０の感温作動で発生荷重を小さくして、その分バイアスバネ６が伸び出し、水弁ｃと水弁座ｄとの間隔を狭め、水の流入量を少なくし、それにより低下してきた混合水の温度を上昇させる。そして、制御弁体５は、湯と水との混合比率と混合水温度とがバランスした位置で安定するようになり、混合水の温度を設定された一定の温度に自動制御するように構成している。
【０００４】
そして、この二つのバネの釣り合い位置で設定される設定温度を、ボディＡの他端側に設けておく温調ハンドルＢの回転操作により、ボディＡの内腔の他端側に組込んでおく調整ネジ受け１３を回転させて、これと螺合する前記調整ネジ７を、軸方向（図において左右方向）に動かし、これに支承させた軸８を軸方向に動かすことで、バイアスバネ６の基端側の支承位置を変位させて、二つのバネの釣り合い位置を変位せしめ、所望の温度に変更調整するように構成している。
【０００５】
ところで、このように構成されている自動湯水混合水栓には、例えば、高温度の混合水が必要な場合に、温調ハンドルＢを、必要とする温度の目盛位置まで高温側に回転させたときに、バランスさせている感温バネ１０とバイアスバネ６を押し込むことから、それらのバネの合力である反力が、調整ネジ７に作用し、それが温調ハンドルＢに作用してくることで、その結果、温調ハンドルＢを低温側に自転回動させ、設定した温度を狂わせるようになる問題がある。
【０００６】
一方、低温の混合水が必要な場合には、温調ハンドルＢを低温側に回転させるが、このとき、軸８を調整ネジ７に当接させるよう設ける引上げバネを収縮させるようになるので、その引上げバネの反力により温調ハンドルＢが、逆方向の高温側に自転して回転するようになり、設定温度を狂わせる問題がある。
【０００７】
このため、この自動湯水混合水栓には、温調ハンドルを回転させて、吐出させる混合水の温度を所望に設定するときに、回転させた温調ハンドルが、バネの反力により自転して回転することのないようにすることが必要である。
【０００８】
この温調ハンドルＢの自転回動を防止するための手段を施したものとして、第２図に示しているものがある。これは、特開昭５８−０４００６０号として公開されている技術であり、第２図にあるように、制御弁体５に作動バネ５０を、温度変化により突軸が出入する感温体５１を介して作用させ、バイアスバネ６を支承する作動軸５２に、温調ハンドルＢと連繋するスピンドル軸５３を螺合して、その温調ハンドルＢの回転操作により、湯流入口から流入して湯弁座ａを経て流れ込む湯と水流入口から流入して水弁座ｃを経て流れ込む水とを混合し、混合水として取出すサーモエレメントミキシングバルブにおいて、温調ハンドルＢを回転させたときに、バイアスバネ６の反発力を受ける作動軸５２に、その反発力と逆方向に作用するコイルバネｗを作用させておいて、その反発力を打ち消し、温調ハンドルＢが自転回動しないようにしている手段である。
【０００９】
次に図３に示す手段は、制御弁体５に、感温バネ（ＳＭＡバネ）１０と、バイアスバネ６とを連繋し、そのバイアスバネ６の基端側を支える軸８を、調整ネジ７に摺動自在に嵌挿して胴部に設けた衝合鍔８０により調整ネジ７に衝合させ、調整ネジ７を貫通して突出する軸８の突出端部に、その軸８を引上げる引上げバネｙを設けている自動湯水混合水栓において、温調ダイヤルＢを低温側に回転させて、これに連繋する調整ネジ受け１３を回転させ、調整ネジ受け１３と螺合する調整ネジ７を引上げたときに、これにより収縮してくる引上げバネｙの反発力を消失させるために、調整ネジ受け１３と調整ネジ７との間に、その調整ネジ７の上昇により圧縮されて調整ネジ７を下降側に押し返すように作動する自転防止用バネｖを、前記引上げバネｙと同軸のコイルバネに形成して装着するようにしている手段のものである。
【特許文献１】特開昭５８−０４００６０号
【００１０】
このように、温調ハンドルを回転させて、吐出させる混合水の温度を所望に設定する自動湯水混合水栓は、温調ハンドルを回転させて温度の設定を終えたときに、温調ハンドルが自転して回転し設定温度を狂わせるようになることから、この自転を防止することが必要で、そのため、ボディ内に、感温アクチュエータの進退方向と同軸方向にコイルバネを組込み、温調ハンドルを自転させる力を消失させるようにしていることから、ボディの軸方向の長さが長くなって、小型化を困難にする問題が生じている。
【発明の開示】
【発明が解決しようとする課題】
【００１１】
本発明において解決しようとする課題は、自動湯水混合水栓において、それの温調ハンドルを温度設定のために所望の温度目盛の位置まで回転させたときに、それにより、バイアスバネ、感温バネの反力により温調ハンドルを回転させるように生じてくる力によって、温調ハンドルを回転させた方向と逆方向に自転させるようになるのを防止して、温調ハンドルが、それの回動により所望に設定した特定の設定温度において、その設定温度位置から動かないようにするために、自動湯水混合水栓に組込む自転防止機構が、ボディの軸方向の長さを長くして自動湯水混合水栓の小型化の阻害となっている点を解消せしめることと、温調ハンドルを回動させた所望の設定温度位置に保持させるのが、どのような設定温度においても行われるようにすることにある。
【課題を解決するための手段】
【００１２】
自動湯水混合水栓に、それの温調ハンドル（温調ダイヤル）を所望の温度目盛の位置まで回転させて、取出す混合水の温度を所望の温度に設定する際の、温調ハンドルが逆方向に自転回動するのを防止するために組込む自転回動防止機構・手段が、自動湯水混合水栓の小型化の阻害要因となっているのは、温調ハンドルの自転を防止するのに、その温調ハンドルに自転させる付勢力を生じせしめているバイアスバネ、感温バネ等のバネの合力である反力を、同軸状に組込むコイルバネにより消失せしめることで対処していることによるものである。
【００１３】
そこで、本発明においては、従来手段に変えて、温調ハンドルに対し、それを自転回動させるバネの反力により回転方向の付勢力に対向する程度の力で、回転を阻止する制動を与えるようにすれば、自転防止が得られることに想到し、そのためには、温調ハンドルに対し、それの回転軸線と直交する方向にバネ圧が作用するバネにより、温調ハンドルの回転軸に制動を与えるようにしてよく、このようにすることで、小型化を可能として自転回動防止機構を構成し得るということに想到したことから、次に記載する自動湯水混合水栓の、ボディに組付けた温調ハンドルの回転軸となる調整ネジ受けまたはそれと温調ハンドルとを連結する連結スリーブの周面に、ボディに対し周方向の動きが阻止されてバネにより径方向に押し出されるよう設けた制動部材を温調ハンドルを自転させるように生じてくる回転方向の付勢力に対向する程度の力で圧接せしめて自転回動を防止するようにしたことを特徴とする自動湯水混合水栓における温調ハンドルの自転回動防止装置、を提起するものである。
【００１４】
また、これに併せて、調整ネジ受けと温調ハンドルとを連結する連結スリーブの外周面に、係合突起を、歯車の歯状に周方向に連続させて形成し、これに係合させる制動部材を、ボディの外面に組付けるケースに、前記スリーブの外周面に対し進退するよう保持せしめて、バネによりスリーブの外周面に向け押し出すよう付勢しておく手段を提起し、さらに、制動部材を、板バネにより形成し、そのバネ自体を前記スリーブまたは調整ハンドル受けの外周面に対し圧接させる手段を提起するものである。
【発明の効果】
【００１５】
本発明手段による自動湯水混合水栓における温調ハンドルの自転回動防止手段は、温調ハンドルを回転させて取出す混合水の温度を設定するときに、回転させた温調ハンドルが、制動部材により回転方向に対し制動が与えられることで、バイアスバネ、感温バネの反力による自転回動が阻止されることで、自転が効果的に防止されるようになる。
【００１６】
そして、この温調ハンドルの自転の防止を、その温調ハンドルの回転軸となる連結スリーブまたは調整ネジ受けの外周面に対し、軸方向と直交する径方向にバネ圧が作用するバネを用いて行うことから、自動湯水混合水栓の小型化を可能にして自転防止できるようになる。
【００１７】
また、制動部材を、自動湯水混合水栓のボディの外面に組付けるケースに保持せしめて、連結スリーブの外周面に進退自在に対向させ、バネにより押し出し圧接させて制動を与えるようにするときは、自動湯水混合水栓に対する組付けが容易となり、また、制御弁体の摺動抵抗、バイアスバネの力の違いにより、求められる設定力となるよう部品を交換するのが容易となる。
【００１８】
さらに、制動部材を、板バネとし、それの一端側または中間部が、直接、連結スリーブ、または調整ネジ受けの外周面に設けた歯車の歯状の係合突起に圧接して、回転方向の制動を与えるようにするときは、制動部材とそれを、係合突起に押し付けるためのバネとを一体に形成できることで、部品点数を少なくした簡易な構造で、自転の回転を防止できるようになる。
【発明を実施するための最良の形態】
【００１９】
本発明手段による自動湯水混合水栓における温調ハンドルの自転防止手段は、温調ハンドルの回転軸となる温調ハンドルと調整ネジ受けとを連結する連結スリーブ、または調整ネジ受けの外周面に対し、ボディに径方向に可動に保持せしめた制動部材が、バネ圧により圧接していくようにして、温調ハンドルに対し温度設定のための回転によりバイアスバネ、感温バネの反力により受ける回転方向の付勢力に対応する制動を与えるようになればよいものである。
【実施例１】
【００２０】
次に実施の一例を図面に従い詳述する。図４は本発明を実施せる自動湯水混合水栓のボディＡの縦断面図、図５は図４のＩ−Ｉ線の断面図、図６は同上の要部の斜視図である。
【００２１】
図において、Ａは、有底の筒状に形成したケース１とそれの開放口側に接続した筒状の弁座２とで構成したボディで、それの周壁には湯流入口３と水流入口４とが設けてあり、前記筒状の弁座２の内腔には混合室９が形成してある。
【００２２】
５は、上記ボディＡの内腔で前記湯流入口３と水流入口４との内側となる部位に、軸方向に摺動自在に嵌装した制御弁体で、筒状弁に形成してあり、それの一方の端縁には、前記湯流入口３に形設した湯弁座ｂに対向する湯弁ａが形設され、他方の端縁には前記水流入口４に形設した水弁座ｃと対向する水弁ｄが形設してある。そして、この制御弁体５の芯部には、一端側からＳＭＡバネよりなる感温バネ１０の先端側が当接し、他端側にはバイアスバネ６の先端側が当接してある。
【００２３】
前記感温バネ１０は、それの基端側を、前記弁座２の内腔に組付けたバネ受座１１に支承させ、また、バイアスバネ６は、それの基端側を、軸８に支承させ、その軸８を、ボディＡ内にスプラインを介し軸方向にのみ摺動自在に嵌装した有底の筒状の調整ネジ７の底壁に設けた挿通孔に摺動自在に貫通させ、その軸８の胴部に設けた係合鍔を調整ネジ７の底面に衝合させ、調整ネジ７には、それの内周面に設けた雌ネジに、ボディＡの内腔の他端側に組込んだ調整ネジ受け１３の外周面に設けた雄ネジを螺合させることで、制御弁体５を、感温バネ１０とバイアスバネ６との二つのバネの釣り合い位置に保持させてある。
【００２４】
そして、前記調整ネジ受け１３の、ボディＡの他端側の隔壁１４に開設せる中心穴から突出する突出端部に、連結スリーブ１５を嵌合し、その連結スリーブ１５に連結する温調ハンドルＢの回転作動により調整ネジ７を軸方向に動かすことで、この制御弁体５の釣り合い位置を、所望に変更調整するようにしている。
【００２５】
ｙは、前記バイアスバネ６を支承する軸８の、調整ネジ７の底壁に開設した挿通孔に貫通する突出端部に、その軸８を引上げるように作用させる引上げバネで、その軸８の突出端部と調整ネジ７の底壁との間に、渡架するように設けてある。
【００２６】
２０は、このようにして構成される自動湯水混合水栓に、それの温調ハンドルＢを温度設定のために所望の温度目盛の位置まで回転させたときに、逆方向に自転するようになるのを防止するために組付ける自転回動防止装置を示し、この例においては、ボディＡの他端側の隔壁１４の外面側に、その隔壁１４から突出する調整ネジ受け１３の連結軸部に嵌合して一体的に連結するニップル状の連結スリーブ１５の外周に、中心穴２１が嵌合するように組付けられるリング状のケース２２と、このケース２２に、それの中心穴２１に対し進退するように組付け保持される制動部材２３と、その制動部材２３を中心穴２１に向け押し出すよう付勢するコイル状のバネ２４と、ニップル状の連結スリーブ１５の外周面に、歯車の歯状に周方向に連続させて形設しておく多数の山形の係合突起２５…とで構成してある。
【００２７】
ケース２２は図６に示しているように、外周側の一部に縮径部２２ａと嵌合凹部２２ｂとを具備せしめた不整形状のリングに形成され、ニップル状の連結スリーブ１５の外周面が嵌合する中心穴２１の壁面には、嵌合する連結スリーブ１５の外周面の一部を、ケース２２の内腔側に対し露出させる切欠部２６が形成してあり、前述の制動部材２３の先端側が、この切欠部２６から中心穴２１内に突出してくるようにしてある。
【００２８】
前記ボディＡの隔壁１４には、図６に示しているように、ケース２２の縮径部２２ａの外面に嵌り合う係合壁１４ａと、ケース２２の嵌合凹部２２ｂに嵌入する係合突起１４ｂとが形設してあって、これらの嵌合により、ケース２２はボディＡに対し図４に示す状態位置に組付け保持される。
【００２９】
そして、これにより、ニップル状の連結スリーブ１５に嵌装した温調ハンドルＢを回転させて吐出させる混合水の温度を所望に設定するときに、温調ハンドルＢの回転軸となって回転する連結スリーブ１５の外周面に設けた歯車の歯状に連続する係合突起２５…に対し、ケース２２に組付けた制動部材２３の先端側が、バネ２４の付勢により圧接していくようになることで、温調ハンドルＢは、正・逆何れの方向に回転させたときにおいても、係合突起２５…に先端側が係合した制動部材２３に、係合突起２５の谷部から脱出して係合突起２５を乗り越えていくように弾性変形させる負荷を与えながら回転するようになり、かつ、制動部材２３が周方向に並列する係合突起２５に順次切り換わって、係合していくことで、正・逆何れの回転方向にも、制動部材２３による制動が、係合突起２５を乗りこえるよう弾性変形する範囲の力で与えられ、自転が防止されるようになる。
【実施例２】
【００３０】
次に図７及び図８は、別の実施例を示している。この例は、前述の実施例における制動部材２３を収蔵せしめたケース２２を、自動湯水混合水栓のボディＡの内部の他端側で、隔壁１４と調整ネジ受け１３の肩部との間の位置に装入し、そのケース２２内に収蔵せる制動部材２３の先端側が、調整ネジ受け１３の、連結スリーブ１５に嵌合する連結軸部１３０の外周面に作用していくようにした例である。
【００３１】
この例においては、調整ネジ受け１３の、連結スリーブ１５と嵌合して連結する連結軸部１３０の基端側の外周面に、歯車の歯状に周方向に連続する係合突起２５…を形設しておき、ボディＡ内の隔壁１４の下面側に装入したケース２２に収蔵せしめておく、制動部材２３が、この係合突起２５に係合することで、温調ハンドルＢの自転回動を防止するようにしている。
【実施例３】
【００３２】
次に図９は、さらに別の実施例を示している。この例は、上述した実施例に対し、温調ハンドルＢの自転回動を防止するための制動部材２３の構成を変えた変形例である。
【００３３】
この例は、温調ハンドルＢの回転軸となるニップル状の連結スリーブ１５またはこれと嵌合して連結する調整ネジ受け１３に対し、制動部材２３により回転方向の制動を与えるようにする際、その制動部材２３を、屈曲させた板バネとし、その板バネ自体が連結軸部１３０の外周面に設ける歯車の歯状の係合突起２５…に圧接して係合していくようにして、前述の実施例におけるコイル状のバネ２４を制動部材２３と一体化して部品点数を削減している例であり、制動部材２３を、ボディＡに対して保持させるためのケース２２および、そのケース２２の中心穴２１の壁面に設けた切欠部２６を介し、その中心穴２１内に位置する歯車の歯状の係合突起２５…に対し圧接させることについては、前述の実施例１に組込んでいる自転防止機構と変わりがない。
【００３４】
なお、制動部材２３は、上述の各実施例では、温調ハンドルＢの回転軸となる調整ネジ受け１３またはそれと連結する連結スリーブ１５の周面に、歯車の歯状に設けた多数の山形の係合突起２５…に対しバネ圧により圧接して、その調整ネジ受け１３または連結スリーブ１５の周面に弾性的に係合していくようになる例だけを示しているが、実施例に例示した例に限られるものではなく、例えば、調整ネジ受け１３・連結スリーブ１５の周面には、歯車の歯状に連続する山形の係合突起２５…に換えて、粗面とした摩擦面を形設しておき、これに、制動部材２３を、ブレーキシュー状に形成して、調整ネジ受け１３・連結スリーブ１５の回転方向に対し固定した状態で、それらの周面に対し進退するようボディＡに保持せしめておいて、所定のバネ圧により圧接せしめるようにし、これにより、温調ハンドルＢを自転回動させるバネの反力に対応する制動力を与えるように構成してもよく、その構成は任意であり、適宜に構成してよいものである。
【図面の簡単な説明】
【００３５】
【図１】従前の自動湯水混合水栓の断面図である。
【図２】従前の別の形態の自動湯水混合水栓の断面図である。
【図３】従前のさらに別の自動湯水混合水栓の断面図である。
【図４】本発明手段を実施せる自動湯水混合水栓のボディの断面図である。
【図５】同上の図４のＩ−Ｉ線部の断面図である。
【図６】同上の要部の分解した斜視図である。
【図７】別の実施例の横断面図である。
【図８】同上実施例のＩＩ−ＩＩ線断面図である。
【図９】さらに別の実施例の縦断面図である。
【符号の説明】
【００３６】
Ａ…ボディ、Ｂ…温調ハンドル、ａ…湯弁、ｂ…湯弁座、ｃ…水弁、ｄ…水弁座、ｖ…自転防止用バネ、ｙ…引上げバネ、１…ケース、１０…感温バネ、１１…バネ受座、１２…混合水出口、１３…調整ネジ受け、１３０…連結軸部、１４…隔壁、１４ａ…係合壁、１４ｂ…係合突起、１５…連結スリーブ、２…弁座、２０…自転回動防止装置、２１…中心穴、２２…リング状のケース、２２ａ…縮径部、２２ｂ…嵌合凹部、２３…制動部材、２４…コイル状のバネ、２５…係合突起、２６…切欠部、３…湯流入口、４…水流入口、５…制御弁体、６…バイアスバネ、７…調整ネジ、８…軸、８０…衝合鍔、９…混合室。
【図１】
2007024138.tif 000003
【図２】
2007024138.tif 000004
【図３】
2007024138.tif 000005
【図４】
2007024138.tif 000006
【図５】
2007024138.tif 000007
【図６】
2007024138.tif 000008
【図７】
2007024138.tif 000009
【図８】
2007024138.tif 000010
【図９】
2007024138.tif 000011